(57)【要約】【課題】  試し書き領域の高い周波数の単一周波数信号が記録されているところでも、安定したランドプリピット信号の検出が可能となる光ディスク記録再生装置を提供する。【解決手段】  ウォブル信号、ランドプリピット（ＬＰＰ）信号が記録された記録可能な光ディスクの記録再生装置において、グルーブ幅方向に２分割された光検出器（２１）の２つの信号出力を、それぞれＡＧＣ増幅器（２２、２３）に入力し、その出力を差動入力とする差動増幅器（２４）の出力差分信号から、ＬＰＰ信号検出部（２５）によりＬＰＰ信号を検出する構成とする。そして、前記ＡＧＣ増幅器の目標値は、２つのＡＧＣ増幅器で共通とすると共に、予め周波数に応じてウォブル信号の振幅が一定となるような値を準備しておき、周波数検出部（３０）により、前記光検出器出力の周波数を検出して、前記周波数に応じた目標値を選択する。【選択図】      図２
2006268942.tif 000002
【特許請求の範囲】
【請求項１】
ディスク基板上にランドとグルーブが交互に螺旋状にウォブルされて形成され、かつ前記ランド上に補助情報を示すランドプリピットが形成された光ディスクに、レーザ光を照射して、前記グルーブにより情報の記録再生を行う光ディスク記録再生装置において、
少なくとも前記グルーブ幅方向に中央部で２分割された領域を有し、前記光ディスクで反射された前記レーザ光の戻り光を検出して光電変換して電気信号を出力する光検出器と、
前記電気信号のうち前記２分割された領域から出力される一方の電気信号の振幅を設定された目標値の振幅と同一として出力する第１のＡＧＣ増幅器と、前記２分割された領域から出力される他方の電気信号の振幅を前記第１のＡＧＣ増幅器の目標値の振幅と同一として出力する第２のＡＧＣ増幅器と、
前記光検出器から出力された電気信号の周波数または振幅を検出して、予め定められた前記目標値の振幅を設定する目標値設定部と、
前記第１、第２のＡＧＣ増幅器からそれぞれ出力される前記設定された目標値の振幅と同一の振幅を持つ２つの電気信号の差分信号を求める差動増幅器と、
前記差動増幅器から出力される前記差分信号から、ランドプリピット信号を検出するランドプリピット信号検出部と、
を備えることを特徴とする光ディスク記録再生装置。
【請求項２】
ディスク基板上にランドとグルーブが交互に螺旋状にウォブルされて形成され、かつ前記ランド上に補助情報を示すランドプリピットが形成された光ディスクに、レーザ光を照射して、前記グルーブにより情報の記録再生を行う光ディスク記録再生装置において、
少なくとも前記グルーブ幅方向に中央部で２分割された領域を有し、前記光ディスクで反射された前記レーザ光の戻り光を検出して光電変換して電気信号を出力する光検出器と、
前記電気信号のうち前記２分割された領域から出力される一方の電気信号の振幅を設定された目標値の振幅と同一として出力する第１のＡＧＣ増幅器と、前記２分割された領域から出力される他方の電気信号の振幅を前記第１のＡＧＣ増幅器の目標値の振幅と同一として出力する第２のＡＧＣ増幅器と、
前記第１、第２のＡＧＣ増幅器からそれぞれ出力される同一の振幅を持つ２つの電気信号の差分信号を求める差動増幅器と、
前記差動増幅器から出力される前記差分信号から、ランドプリピット信号を検出するランドプリピット信号検出部と、
前記差動増幅器から出力される前記差分信号からウォブル信号を検出するウォブル信号検出部と、
前記ウォブル信号検出部で検出されたウォブル信号の振幅と予め定められたウォブル信号の目標値の振幅との差分信号を、前記第１、第２のＡＧＣ増幅器の目標値の振幅として設定する目標値設定部と、
を備えることを特徴とする光ディスク記録再生装置。
【発明の詳細な説明】
【技術分野】
【０００１】
本発明は、ＤＶＤ−Ｒ／ＲＷのようにウォブルされたランド、グルーブを持ち、その物理アドレスがランドにプリピットとして形成されている光ディスク記録再生装置に関し、特にパワー校正領域におけるランドプリピットの検出技術に関するものである。
【背景技術】
【０００２】
記録可能な光ディスクでは、モータの回転を制御するための情報、またディスク記録時の位置決めのための情報がプリフォーマットされている。
ＤＶＤ−Ｒ／ＲＷでは、図７に示すように、光ディスクのトラックを一定周期でウォブル（蛇行）させて、このウォブル周期から一定クロックを生成して、モータの回転を制御している。また、ランドの所定位置にピットを形成して、このランドプリピット（Ｌａｎｄ  Ｐｒｅ−Ｐｉｔ。以下、ＬＰＰともいう。）から、アドレス情報を得ている。
またこれら光ディスク記録再生装置では、実際に記録を行う光ディスクの種類、記録装置、記録速度に合わせて最適記録パワーを設定するために、情報の記録に先立ってＯＰＣ（Ｏｐｔｉｍｕｍ  Ｐｏｗｅｒ  Ｃｏｎｔｒｏｌ）と呼ばれる記録パワーの校正処理を行っている。このＯＰＣ動作は、単一周波数信号、ランダム信号により構成されたＯＰＣ信号を、記録パワーを変化させて試し書き記録を行い、これらの再生信号から記録状態の良否を判定して、最適記録パワーを設定するものである。
【０００３】
従来の光ディスク記録再生装置におけるにＬＰＰ信号の検出方法（例えば、特許文献１参照。）について図８〜図１０を用いて説明する。
図８、図９は、ＬＰＰ信号の検出系を示す構成図である。図１０は、再生されたＲＦ信号の各部信号波形を示す概念図である。
従来のＬＰＰ信号の検出系は、図８に示すように、光検出器２１、差動増幅器２４、ＬＰＰ検出部２５、およびＢＰＦ２６から構成されている。
ディスクからの反射光は、トラック幅方向に少なくとも２分割された光検出器により検出され、グルーブを２つに分けたＲＦ出力が得られる。この２つのＲＦ出力は、図１０（Ａ）、（Ｂ）に示すように、ＲＦデータ信号に、グルーブのウォブルによりそれぞれ互いに逆の位相のウォブル信号、さらにランドプリピットが重畳したものとなる。これら２つのＲＦ出力を差動増幅器に入力すると、ＲＦデータ信号成分の大部分は打ち消されて、図１０（Ｃ）に示すようなランドプリピットの重畳したウォブル信号（以下、ウォブルＬＰＰ信号という。）が出力される。また、前記ＲＦデータ信号成分の残留量を減らすため、図９に示すように、差動増幅器の入力にそれぞれＡＧＣ増幅器４０、４１を設け、差動増幅器への入力レベルを合せてバランスをとることも多い。
ＬＰＰ検出部では、ウォブルＬＰＰ信号のＬＰＰ信号部に対してスライスレベルを設定して、スライスして二値化する事によりＬＰＰ信号を検出する。この時のスライスレベルは、ウォブルＬＰＰ信号に残留するＲＦデータ信号成分にかからないように決める必要がある。また、ウォブル信号は、ウォブルＬＰＰ信号にウォブル信号周波数に対応したＢＰＦを通すことにより得られる。
【特許文献１】特開２００１−２６６４８６号公報（第３頁、第２−３図）
【発明の開示】
【発明が解決しようとする課題】
【０００４】
これらＬＰＰ信号検出は、通常、前記ＯＰＣを行う試し書き領域とデータ領域とで、同じ検出方法がとられている。しかしながら、ＯＰＣ信号には、クロック周期の３〜１４倍程度の単一周波数信号が含まれており、再生ＲＦデータ出力は周波数特性を持つことがある。特にクロック周期の３倍、４倍程度の高い周波数部の再生ＲＦ出力（図１１（Ａ）の（１）、（２）の高周波信号参照。）は、これ以外の低い周波数部、またはランダムなデータ部のＲＦ出力（図１１（Ａ）の（１）、（２）の低周波信号参照。）と比べると、著しく低下する。但し、このとき、ＲＦデータ信号のレベルは下がっても、重畳されているウォブル信号、ＬＰＰ信号のレベルは、あまり変わらないという特徴がある。
ここでもし、前記光検出器出力にアンバランスがあって、差動増幅器への２つの入力レベルがあっていない（図１１（Ａ）の（１）、（２）参照。）と、再生されたウォブルＬＰＰ信号（図１１（Ａ）の（３）参照。）のＲＦデータ信号残留分が妨害して、スライスレベルを最適に決めることができず、ＬＰＰ信号を正確に検出することが難しい。
また、差動増幅器入力にそれぞれＡＧＣをかけて、周波数によるレベル差を取り除いて一定にする（図１１（Ｂ）の（１）、（２）参照。）と、前記ウォブル信号、ＬＰＰ信号のレベルは、あまり変わらないという特徴から、逆に前記ウォブルＬＰＰ信号が、ＲＦデータ信号と逆の周波数特性を持ち（図１１（Ｂ）の（３）参照。）、高周波信号部で出力が増大し、スライスレベルの設定が困難となり、ＬＰＰ信号を正確に検出することが難しい。
すなわち、試し書き領域では、クロック周期の３倍、４倍程度の高い周波数の単一周波数信号とこれ以外の低い周波数の単一周波数信号、またはランダムなデータ信号を混在して記録再生することがあるため、データ領域同様にＬＰＰ信号を検出することは難しかった。
【０００５】
そこで、本発明は、上記のような問題点を解消するためになされたもので、試し書き領域の高い周波数の単一周波数信号とこれ以外の低い周波数の単一周波数信号、またはランダムなデータ信号が混在して記録されているところでも、安定したＬＰＰ信号検出が可能となる光ディスク記録再生装置を提供することを目的とする。
【課題を解決するための手段】
【０００６】
本願発明における第１の発明は、ディスク基板上にランドとグルーブが交互に螺旋状にウォブルされて形成され、かつ前記ランド上に補助情報を示すランドプリピットが形成された光ディスクに、レーザ光を照射して、前記グルーブにより情報の記録再生を行う光ディスク記録再生装置において、少なくとも前記グルーブ幅方向に中央部で２分割された領域を有し、前記光ディスクで反射された前記レーザ光の戻り光を検出して光電変換して電気信号を出力する光検出器（光検出器２１）と、前記電気信号のうち前記２分割された領域から出力される一方の電気信号の振幅を設定された目標値の振幅と同一として出力する第１のＡＧＣ増幅器（ＡＧＣ増幅器２２）と、前記２分割された領域から出力される他方の電気信号の振幅を前記第１のＡＧＣ増幅器の目標値の振幅と同一として出力する第２のＡＧＣ増幅器（ＡＧＣ増幅器２３）と、前記光検出器から出力された電気信号の周波数または振幅を検出して、予め定められた前記目標値の振幅を設定する目標値設定部（周波数検出部３０、振幅検出部３１）と、前記第１、第２のＡＧＣ増幅器からそれぞれ出力される前記設定された目標値の振幅と同一の振幅を持つ２つの電気信号の差分信号を求める差動増幅器（差動増幅器２４）と、前記差動増幅器から出力される前記差分信号から、ランドプリピット信号を検出するランドプリピット信号検出部（ＬＰＰ検出部２５）と、を備えることを特徴とする光ディスク記録再生装置を提供する。
また、第２の発明は、ディスク基板上にランドとグルーブが交互に螺旋状にウォブルされて形成され、かつ前記ランド上に補助情報を示すランドプリピットが形成された光ディスクに、レーザ光を照射して、前記グルーブにより情報の記録再生を行う光ディスク記録再生装置において、少なくとも前記グルーブ幅方向に中央部で２分割された領域を有し、前記光ディスクで反射された前記レーザ光の戻り光を検出して光電変換して電気信号を出力する光検出器（光検出器２１）と、前記電気信号のうち前記２分割された領域から出力される一方の電気信号の振幅を設定された目標値の振幅と同一として出力する第１のＡＧＣ増幅器（ＡＧＣ増幅器２２）と、前記２分割された領域から出力される他方の電気信号の振幅を前記第１のＡＧＣ増幅器の目標値の振幅と同一として出力する第２のＡＧＣ増幅器（ＡＧＣ増幅器２３）と、前記第１、第２のＡＧＣ増幅器からそれぞれ出力される同一の振幅を持つ２つの電気信号の差分信号を求める差動増幅器（差動増幅器２４）と、前記差動増幅器から出力される前記差分信号から、ランドプリピット信号を検出するランドプリピット信号検出部（ＬＰＰ検出部２５）と、前記差動増幅器から出力される前記差分信号からウォブル信号を検出するウォブル信号検出部（ＢＰＦ２６）と、前記ウォブル信号検出部で検出されたウォブル信号の振幅と予め定められたウォブル信号の目標値の振幅との差分信号を、前記第１、第２のＡＧＣ増幅器の目標値の振幅として設定する目標値設定部（振幅検出部３２）と、を備えることを特徴とする光ディスク記録再生装置を提供する。
【発明の効果】
【０００７】
本願発明における第１の発明によれば、少なくとも前記グルーブ幅方向に中央部で２分割された領域を有し、前記光ディスクで反射された前記レーザ光の戻り光を検出して光電変換して電気信号を出力する光検出器と、前記電気信号のうち前記２分割された領域から出力される一方の電気信号の振幅を設定された目標値の振幅と同一として出力する第１のＡＧＣ増幅器と、前記２分割された領域から出力される他方の電気信号の振幅を前記第１のＡＧＣ増幅器の目標値の振幅と同一として出力する第２のＡＧＣ増幅器と、前記光検出器から出力された電気信号の周波数または振幅を検出して、予め定められた前記目標値の振幅を設定する目標値設定部と、前記第１、第２のＡＧＣ増幅器からそれぞれ出力される前記設定された目標値の振幅と同一の振幅を持つ２つの電気信号の差分信号を求める差動増幅器と、前記差動増幅器から出力される前記差分信号から、ランドプリピット信号を検出するランドプリピット信号検出部と、を備えており、
第２の発明によれば、少なくとも前記グルーブ幅方向に中央部で２分割された領域を有し、前記光ディスクで反射された前記レーザ光の戻り光を検出して光電変換して電気信号を出力する光検出器と、前記電気信号のうち前記２分割された領域から出力される一方の電気信号の振幅を設定された目標値の振幅と同一として出力する第１のＡＧＣ増幅器と、前記２分割された領域から出力される他方の電気信号の振幅を前記第１のＡＧＣ増幅器の目標値の振幅と同一として出力する第２のＡＧＣ増幅器と、前記第１、第２のＡＧＣ増幅器からそれぞれ出力される同一の振幅を持つ２つの電気信号の差分信号を求める差動増幅器と、前記差動増幅器から出力される前記差分信号から、ランドプリピット信号を検出するランドプリピット信号検出部と、前記差動増幅器から出力される前記差分信号からウォブル信号を検出するウォブル信号検出部と、前記ウォブル信号検出部で検出されたウォブル信号の振幅と予め定められたウォブル信号の目標値の振幅との差分信号を、前記第１、第２のＡＧＣ増幅器の目標値の振幅として設定する目標値設定部と、を備えているので、試し書き領域の高い周波数の単一周波数信号とこれ以外の低い周波数の単一周波数信号、またはランダムなデータ信号が混在して記録してあるところでも、ＬＰＰ信号による安定したアドレス検出が可能となる。
【発明を実施するための最良の形態】
【０００８】
以下、本発明の各実施形態に係る光ディスク記録再生装置について図１〜図６を用いて説明する。図１は、本発明の光ディスク記録再生装置を示す構成図である。図２、図３、図４、および図６は、本発明の光ディスク記録再生装置におけるＬＰＰ信号検出系を示す図である（実施例１〜４）。図５は、本発明の光ディスク記録再生装置におけるＬＰＰ信号検出系の説明図で、（Ａ）は、ＡＧＣ増幅器、（Ｂ）は、ウォブル信号の振幅検出部を示す。
【０００９】
本発明における光ディスク記録再生装置は、図１に示すように、光ディスク１、スピンドルモータ２、光ピックアップ３、モータドライバ４、光ＰＵ送り制御部５、サーボ系６、ヘッドアンプ検出系７、ＬＤドライバ８、データ復号化部９、記録符号化部１０、およびこれら全てを制御するシステムコントローラ１１から構成されている。
以下、本発明光ディスク記録再生装置の主な構成要素の機能・動作について簡単に述べる。
【００１０】
記録再生時、光ピックアップ３は、ＬＤドライバ８により駆動されたレーザ光を光ディスク１へ出射するとともに、この反射光を検出して、ヘッドアンプ検出系７に出力する。
ヘッドアンプ検出系７は、前記反射光に基づいて、フォーカスエラー信号、トラッキングエラー信号を生成して、サーボ系６に出力する。サーボ系は、トラッキング、フォーカスを制御する。また、ヘッドアンプ検出系は、さらに再生データ信号、およびウォブル信号、ＬＰＰ信号を生成して出力する。システムコントローラ１１は、前記ウォブル信号、ＬＰＰ信号に基づいて、光ディスクを所定の速度で回転させるとともに、レーザ光を所定のアドレス位置に集光する。
こうして、記録時、記録信号は、前記ウォブル信号に同期した形で記録符号化部１０で符号化され、ＬＤドライバを介して光ピックアップにより記録される。また再生時、ヘッドアンプ検出系から出力された再生データ信号は、データ復号部９で復号され、再生信号となる。
【００１１】
また、光ディスクが挿入され記録する場合には、情報の記録に先立って、システムコントローラの制御のもとに、記録パワーを最適化するＯＰＣ動作を行う。本発明は、ＯＰＣ動作におけるＬＰＰ信号検出方法に関するもので、以下具体的に説明する。
（実施例１）
【００１２】
本発明の第１実施形態におけるＬＰＰ信号検出系は、図２に示すように、光検出器２１、ＡＧＣ増幅器２２、２３、周波数検出部３０、差動増幅器２４、ＬＰＰ検出部２５、およびウォブル信号を検出するＢＰＦ２６から構成されている。
【００１３】
以上の構成により、ＬＰＰ信号検出系の動作を説明する。ディスクからの反射光は、従来例の場合と全く同様に、２分割された光検出器２１により検出され、ウォブルＬＰＰ信号の重畳した２つのＲＦデータ信号出力（Ａ＋ＢおよびＣ＋Ｄ）が得られる。前記２つのＲＦ出力は、それぞれＡＧＣ増幅器２２、２３に入力される。なおこの２系統のＡＧＣ増幅器は、外部から入力された目標値により、出力の振幅を所定の値に設定する機能を持つ。
そして従来例同様、この２つのＡＧＣ増幅器出力は、差動増幅器２４に入力され、ウォブルＬＰＰ信号を生成、出力される。そしてこのウォブルＬＰＰ信号から、ＬＰＰ検出部２５によりＬＰＰ信号が、ＢＰＦ２６によりウォブル信号が検出され、それぞれ出力される。
一方、光検出器からの全ＲＦ出力（Ａ＋Ｂ＋Ｃ＋Ｄ）は、周波数検出部３０に入力される。周波数検出部では、前記ＲＦ出力の周波数を検出して、その周波数に対応した前記ＡＧＣ増幅器２２、２３の目標値を設定する。
【００１４】
ここで、ＡＧＣ増幅器の目標値は、ウォブルＬＰＰ信号にＲＦデータ信号残留分がなくなるように２つのＡＧＣ増幅器で共通な目標値として、かつ、予めの実験により、ＢＰＦ２６出力のウォブル信号の振幅が一定の値になるように設定する。
本実施例では、クロック周期の３〜１４倍の単一周波数信号を含むＯＰＣ信号を記録再生して、試し書き領域のＲＦ出力と、データ領域のＲＦ出力レベルと比較すると、クロック周期の６倍相当以上の低い周波数の単一周波数信号部では、データ領域と出力レベルは変わらないが、３〜５倍相当の高い周波数の単一周波数信号部のＲＦ出力は、一定量低下するものとする。この場合、低い周波数の単一周波数信号部では、予め実験により定めたデータ領域と共通のＡＧＣ出力の目標値が使用できる。また高い周波数の単一周波数信号部では、予めの実験により別途準備した目標値を設定する。
すなわち、周波数検出部３１は、入力ＲＦ信号が、クロック周期の３〜５倍相当の高い周波数の単一周波数信号か、クロック周期の６倍相当以上の低い周波数の単一周波数信号かを検出して、周波数により、予め準備した目標値を使い分けて設定（図１２（１）、（２）参照。）する。このため、ウォブル信号は周波数に係わらず一定となり、ＬＰＰ信号は一定レベルに重畳することになるため、スライスレベルの設定が容易となり、安定なＬＰＰ信号の検出が可能となる。但し、２つのＡＧＣ増幅器の目標値は同一とし、２つのＡＧＣ増幅器出力の振幅をあわせてバランスをとることは常に必要である。
（実施例２）
【００１５】
図３は、図２の周波数検出３０を、振幅検出部３２に置き換えたもので、その他の構成は全く変わらない。以下図３により、説明する。
本実施例は、目標値の切り替え判定方法を、ＲＦ出力の周波数から、信号振幅に変えただけで、目標値の切り替えを含め、その他は変わらない。すなわち振幅検出部３１の目標値設定では、クロック周期の３〜５倍相当の高い周波数の単一周波数信号の振幅が、クロックの６倍相当以上の低い周波数の単一周波数信号の振幅より小さいことを、そのまま利用して、予め準備した目標値を使い分けて設定（図１２（１）、（２）参照。）する。これにより、実施例１−１同様、安定なＬＰＰ信号の検出が可能となるものである。
（実施例３）
【００１６】
図４は、図２の周波数検出３０を、ウォブル信号の振幅検出部３２に置き換え、ウォブル信号レベルを一定とするフィードバックループを構成したもので、その他の構成は図２と変わらない。以下図４、図５により、説明する。
ウォブル信号の振幅検出部３２は、図５（Ｂ）に示すように、検波器によりウォブル信号の振幅を検出し、前記検出したウォブル信号振幅とウォブル信号の目標値との差分を、ＡＧＣ増幅器の目標値として出力する。また、ＡＧＣ増幅器は、図５（Ａ）に示すように、検波器によりＡＧＣ出力の振幅を検出し、前記検出したＡＧＣ出力の振幅と、ＡＧＣ目標値との差分により、可変利得増幅器の利得を制御する。例えばＡＧＣ出力が目標値より大きいと、利得を下げるようにして、ＡＧＣ出力を一定とするものである。
ここで、前記振幅検出部３２のＡＧＣ目標値出力を、ＡＧＣ増幅器の目標値として入力すると、図４に示すＡＧＣ増幅器２２、２３、差動増幅器２４、ＢＰＦ２６、および振幅検出部３２により、ウォブル信号レベルをウォブル信号目標値とするフィードバックループが形成される。この構成によれば、ウォブル信号の目標値を設定することにより、実施例１−１同様安定なＬＰＰ信号の検出が可能となるものである。
（実施例４）
【００１７】
本発明の第２実施形態におけるＬＰＰ信号の検出系は、図６に示すように、光検出器２１、ＡＧＣ増幅器３３、固定利得増幅器３５、スイッチ３７、ＡＧＣ増幅器３４、固定利得増幅器３６、スイッチ３８、振幅検出部３９、差動増幅器２４、ＬＰＰ検出部２５、およびＢＰＦ（ウォブル信号検出部）２６から構成されている。
【００１８】
従来例同様、ディスクからの反射光は２分割された光検出器により検出され、ウォブルＬＰＰ信号の重畳した２つのＲＦデータ信号出力（Ａ＋ＢおよびＣ＋Ｄ）が得られる。
前記２つのＲＦ出力は、それぞれＲＦデータ信号成分の振幅が同一となるようＡＧＣ増幅器３３、３４に入力される。さらに前記２つのＲＦ出力は、前記ＡＧＣ増幅器３３、３４にそれぞれ並列に配置された、利得設定が可能な２系統の固定利得増幅器３５、３６にもそれぞれ入力される。そして差動増幅器２４への２つの差動入力は、スイッチ３７、３８により、前記ＡＧＣ増幅器出力、および前記固定利得増幅器出力から、選択可能な構成となっている。
そして、この選択された２つのＲＦ出力は、従来例同様、差動増幅器２４に入力され、ウォブルＬＰＰ信号が生成、出力される。こうして、ＬＰＰ検出部２５では、設定されたスライスレベルによりＬＰＰ信号が検出され、ＢＰＦ２６では、ウォブル信号が検出されて、それぞれ出力される。
一方、光検出器からの全ＲＦ出力（Ａ＋Ｂ＋Ｃ＋Ｄ）は、振幅検出部３９に入力される。振幅検出部では、前記ＲＦ出力の振幅が所定閾値に対し大きいか、小さいかを示すステータス信号を出力し、スイッチ３７、３８は、前記ステータス信号により切り替えられる。
すなわち、差動入力には、ＲＦ出力が一定値より大きい場合は、ＡＧＣ増幅器３３、３４出力を、小さい場合には、固定利得増幅器３５、３６出力を使用する。
またこの時の固定利得増幅器の利得は、予め実験により、クロック周期の３〜５倍相当の高い周波数の単一周波数信号のウォブル信号振幅が、６倍相当以上の低い周波数の単一周波数信号のウォブル信号振幅と概略等しくなるような設定とする。
【００１９】
なお、前記実施例では、スイッチ３７、３８の切り替え信号として、前記全ＲＦ出力の振幅が所定閾値より大きいかどうかにより判断したが、実施例１同様、振幅検出部を周波数検出部に置き換え、入力ＲＦ信号の周波数により、クロック周期の３〜５倍相当の高い周波数の単一周波数信号の場合、固定利得増幅器に設定し、クロック周期の６倍相当以上の低い周波数の単一周波数信号場合はＡＧＣ増幅器出力として使い分けすることも可能である。
【００２０】
以上のように、本発明の実施形態によれば、上記した構成があるので、試し書き領域の高い周波数の単一周波数信号とこれ以外の低い周波数の単一周波数信号、またはランダムなデータ信号が混在して記録されているところでも、安定したＬＰＰ信号検出が可能となり、全ての領域で安定したウォブル信号、ＬＰＰ信号の検出が可能な光ディスク記録再生装置を提供することができる。
【図面の簡単な説明】
【００２１】
【図１】本発明の実施形態における光ディスク記録再生装置を示す構成図である。
【図２】本発明の光ディスク記録再生装置におけるＬＰＰ信号の検出系を示す構成図である。（実施例１）
【図３】本発明の光ディスク記録再生装置におけるＬＰＰ信号の検出系を示す構成図である。（実施例２）
【図４】本発明の光ディスク記録再生装置におけるＬＰＰ信号の検出系を示す構成図である。（実施例３）
【図５】本発明の光ディスク記録再生装置におけるＬＰＰ信号の検出系の説明図で、（Ａ）は、ＡＧＣ増幅器、（Ｂ）は、ウォブル信号の振幅検出部を示す。
【図６】本発明の光ディスク記録再生装置におけるＬＰＰ信号の検出系を示す構成図である。（実施例４）
【図７】記録可能な光ディスクにおけるプリフォーマットされたウォブル、ランドプリピットを示す説明図である。
【図８】従来例の光ディスク記録再生装置におけるＬＰＰ信号の検出系を示す構成図である。
【図９】従来例の光ディスク記録再生装置におけるもう一つのＬＰＰ信号の検出系を示す構成図である。
【図１０】光ディスク記録再生装置のＬＰＰ信号検出系における信号波形を示す図で、（Ａ）および（Ｂ）は、光検出器ＲＦ出力波形、（Ｃ）は、ウォブルＬＰＰ信号の波形である。
【図１１】光ディスク記録再生装置のＬＰＰ信号検出系の各部信号波形を示す説明図で、（Ａ）は、ＡＧＣなし、（Ｂ）は、従来例方式、（Ｃ）は、本発明方式を示す。
【符号の説明】
【００２２】
２１  光検出器、２２  ＡＧＣ増幅器、２３  ＡＧＣ増幅器、  ２４  差動増幅器、  ２５  ＬＰＰ検出部、  ２６  ＢＰＦ、３０  周波数検出部
【図１】
2006268942.tif 000003
【図２】
2006268942.tif 000004
【図３】
2006268942.tif 000005
【図４】
2006268942.tif 000006
【図５】
2006268942.tif 000007
【図６】
2006268942.tif 000008
【図７】
2006268942.tif 000009
【図８】
2006268942.tif 000010
【図９】
2006268942.tif 000011
【図１０】
2006268942.tif 000012
【図１１】
2006268942.tif 000013